(57)【特許請求の範囲】
【請求項１】
固有コードを記憶しているメモリを有するトランスミッタと電気的に接続される接続手段と、受信機を固有コードの書込モードに切り換える起動コードを記憶している起動コード記憶手段と、該記憶手段に記憶された起動コードと上記トランスミッタの固有コードとを読み込んで両者を送信する送信手段とが設けられており、かつ、該送信手段は、送信機とトランスミッタとの接続動作により、起動コード及び固有コードを送信するように構成されていることを特徴とする送信機。
【請求項２】
送信機と受信機とを備え、送信機には、固有コードを記憶しているメモリを有するトランスミッタと電気的に接続される接続手段と、受信機を固有コードの書込モードに切り換える起動コードを記憶している起動コード記憶手段と、該記憶手段に記憶された起動コードと上記トランスミッタの固有コードを読み込んで両者を送信する送信手段とが設けられていると共に、上記受信機には、固有コードを記憶する固有コード記憶手段と、送信機側から送信される起動コードと固有コードとを受信すると、上記固有コード記憶手段を書込モードに切り換えて、該記憶手段に上記固有コードを登録する登録手段とが設けられており、かつ、該送信手段は、送信機とトランスミッタとの接続動作により、起動コード及び固有コードを送信するように構成されていることを特徴とする固有コード登録装置。
【請求項３】
登録手段は、初回時のみ起動コードに従って受信機の固有コード記憶手段に固有コードを登録するように構成されていることを特徴とする請求項２に記載の固有コード登録装置。
【発明の詳細な説明】
【０００１】
【産業上の利用分野】
この発明は、自動車などに組み付けられた受信機へトランスミッタに記憶された固有コードを登録するための装置に関する。
【０００２】
【従来の技術】
近年、自動車などにおいては、いわゆるキーレスシステムが装備されることがある。これは、運転者が携行するトランスミッタから送出される無線信号を車載受信機で受信して、例えばドアの施錠装置を施錠もしくは解錠するようにしたもので、例えば自動車の各ドアから乗員を乗せる場合に、自動車から離れた位置から各ドアを一斉に解錠して他の乗員を待たせることなく乗車させることができるばかりでなく、荷物を積み降ろしする場合に、自動車から離れた位置から施錠もしくは解錠することができて、自動車の傍で施錠もしくは解錠のために荷物を一旦手放さなければならないといった面倒が回避されることになる。
【０００３】
ところで、この種のキーレスシステムにおいては、リモートコントロールによって解錠できることから、保安性が特に要求される。そこで、一般には、トランスミッタに内蔵したメモリに予め固有コード（以下、ＩＤコードという）を記憶させると共に、このＩＤコードを操作信号と共に発信させ、車載受信機においては、受信したＩＤコードと予め登録したＩＤコードとを比較して、両者が一致したときに施錠装置を操作信号に従って作動させるようになっている。したがって、自動車工場などにおいては、受信機側のＩＤコードとトランスミッタ側のＩＤコードとを一致させた状態で出荷する必要がある。
【０００４】
このような要求に対しては、予め受信機側とトランスミッタ側とに同一のＩＤコードを記憶させておくことも考えられるが、受信機とトランスミッタとを一対で管理しなければならず、管理上の困難性がある。
【０００５】
そこで、例えば実開平２−１０５４６９号公報に開示されているように、車載受信機に備えられたリセットスイッチをＯＮ操作してメモリを書込モードに設定すると共に、その状態でトランスミッタから送出されるＩＤコードをメモリに登録させることが考えられる。これによれば、受信機とトランスミッタとを別々に管理することができるので、上記の問題が解消されることになる。
【０００６】
【発明が解決しようとする課題】
しかしながら、上記公報記載の従来技術のように、リセットスイッチの操作によって受信機側にＩＤコードを登録するようにすると、次のような問題が予想される。
【０００７】
つまり、一般にリセットスイッチは、その性質上、車外から簡単に操作できないところに配置されるのが通例である。したがって、工場などで車載受信機を車体に組み付けた後にＩＤコードを登録する際には、その都度、車室内に入り込んでリセットスイッチを操作しなければならず、作業性が極めて悪化することになるのである。
【０００８】
この発明は、受信機にトランスミッタと同一のＩＤコードを登録する場合における上記の問題に対処するもので、ＩＤコードの登録時の作業性を向上することを目的とする。
【０００９】
【課題を解決するための手段】
すなわち、本願の請求項１の発明（以下、第１発明という）に係る送信機は、固有コードを記憶しているメモリを有するトランスミッタと電気的に接続される接続手段と、受信機を固有コードの書込モードに切り換える起動コードを記憶している起動コード記憶手段と、該記憶手段に記憶された起動コードと上記トランスミッタの固有コードとを読み込んで両者を送信する送信手段とを設け、かつ、該送信手段を、送信機とトランスミッタとの接続動作により、起動コード及び固有コードを送信するように構成したことを特徴とする。
【００１３】
また、本願の請求項２の発明（以下、第２発明という）に係る固有コード登録装置は、送信機と受信機とを備え、送信機に、固有コードを記憶しているメモリを有するトランスミッタと電気的に接続される接続手段と、受信機を固有コードの書込モードに切り換える起動コードを記憶している起動コード記憶手段と、該記憶手段に記憶された起動コードと上記トランスミッタの固有コードを読み込んで両者を送信する送信手段とを設けると共に、上記受信機に、固有コードを記憶する固有コード記憶手段と、送信機側から送信される起動コードと固有コードとを受信すると、上記固有コード記憶手段を書込モードに切り換えて、該記憶手段に上記固有コードを登録する登録手段とを設け、かつ、該送信手段を、送信機とトランスミッタとの接続動作により、起動コード及び固有コードを送信するように構成したことを特徴とする。
【００１５】
また、本願の請求項３の発明（以下、第３発明という）に係る固有コード登録装置は、上記第２発明における登録手段を、初回時のみ起動コードに従って受信機の固有コード記憶手段に固有コードを登録するように構成したことを特徴とする。
【００１６】
【作用】
上記の構成によれば次のような作用が得られる。
【００１７】
すなわち、第１発明に係る送信機の構成によれば、受信機側を書込モードに設定する起動コードがトランスミッタの固有コードと共に送信されるようになっているので、車室内に入り込むことなくトランスミッタに対応した固有コードを簡単に登録することが可能となる。
【００１８】
そして、第１発明に係る送信機の構成によれば、送信機とトランスミッタとの接続動作により、起動コードが固有コードと共に送信されるようになっているので、操作性が向上することになる。
【００２１】
さらに、第２、第３発明に係る固有コード登録装置の構成によれば、受信機側を書込モードに設定する起動コードがトランスミッタの固有コードと共に送信機から送信されるようになっているので、車室内に入り込むことなくトランスミッタに対応した固有コードを簡単に登録することが可能となる。また、受信機は、送信機側から送信される起動コードと固有コードとを受信すると、固有コード記憶手段を書込モードに切り換えて上記固有コードを登録するようになっているので、リセットスイッチを操作することなく固有コードを登録することが可能となって、受信機に固有コードを登録する際の作業性が向上することになる。
【００２２】
そして、第２発明に係る固有コード登録装置の構成によれば、送信機とトランスミッタとの接続動作により、起動コードが固有コードと共に送信されるようになっているので、上記第１発明と同様に操作性が向上することになる。
【００２３】
また、第３発明に係る固有コード登録装置の構成によれば、初回時のみ起動コードに従って固有コードを登録するようになっているので、２回目からはリセットスイッチを使用しなければ固有コードを登録することができず、保安性が向上することになる。
【００２４】
【実施例】
以下、本発明の実施例について説明する。
【００２５】
まず、図１により、本発明に係る固有コード登録装置の一部を構成する受信機１の回路構成の概略を説明する。この受信機１には、ＣＰＵ、ＲＯＭ、ＲＡＭ、各種のインターフェースなどが１チップに集積されたマイクロコンピュータ２と、ＩＤコードを記憶するＥＥＰＲＯＭ３と、受信部４と、ロックモータ５を駆動するモータ駆動部６とが設けられている。そして、マイクロコンピュータ２にＥＥＰＲＯＭ３が接続されている。
【００２６】
上記受信部４は、アンテナ７によって受信される高周波信号を増幅する高周波増幅回路８と、該増幅回路８の出力信号と局部発信回路９から出力された中間周波数とを混合して増幅する中間周波増幅回路１０と、該増幅回路１０から出力された出力信号をディジタル信号に復調する復調回路１１とを有し、該復調回路１１の出力が上記マイクロコンピュータ２に入力されるようになっている。
【００２７】
また、上記モータ駆動部６は、マイクロコンピュータ２の出力がハイレベルになったときにＯＮする第１、第２トランジスタ１２，１３と、これらのトランジスタ１２，１３のＯＮ時にそれぞれ導通される第１、第２コイル１４，１５とを有する。そして、第１コイル１４の導通時には、ロックモータ５の給電回路２０における第１スイッチ２１が鎖線で示すように電源側に切り換わることにより、電源から第１スイッチ２１、ロックモータ５及び第２スイッチ２２を経てＸ方向に電流が流れ、これによりロックモータ５が施錠方向に回転する。また、第２コイル１５の導通時には、上記給電回路２０における第２スイッチ２２が電源側に切り換わることにより、電源から第２スイッチ２２、ロックモータ５及び第１スイッチ２１を経てＹ方向に電流が流れ、これによりロックモータ５が解錠方向に回転する。
【００２８】
ここで、例えば図２に示すように、トランスミッタ３０に備えられたロックボタン３１をＯＮ操作したときには、その操作指令に対応する機能コードと共に送信される送信電波に含まれるＩＤコードが受信機側のＥＥＰＲＯＭ３に記憶されたＩＤコードと一致するときに、マイクロコンピュータ２の作動により第１トランジスタ１２がＯＮとなり、これによって上記ロックモータ５が施錠方向に回転することになる。また、上記トランスミッタ３０に備えられたアンロックボタン３２をＯＮ操作したときには、上記と同様のプロセスを経て、受信機側のマイクロコンピュータ２の作動により第２トランジスタ１３がＯＮとなり、これによって上記ロックモータ５が解錠方向に回転することになる。
【００２９】
一方、上記受信機１と共に固有コード登録装置を構成する送信機４０は、図２に示すように、電磁波的にシールドされた筐体４１を有すると共に、該筐体４１の上面に形成された開口部４２に、上記トランスミッタ３０が上下方向に挿脱自在とされている。そして、この筐体４１の内部には、トランスミッタ３０の挿入状態を検知するリミットスイッチ４３と、軸方向に進退するプランジャ４４を備えたアクチュエータ４５と、回路基板４６とが設置されている。その場合に、上記リミットスイッチ４３は上記開口部４２の下方に配置されていると共に、アクチュエータ４５は、上記プランジャ４４が鎖線で示した挿入状態のトランスミッタ３０のアンロックボタン３２に対峙するように配置されている。また、上記回路基板４６にはトランスミッタ３０からの送信電波を受信する受信アンテナ４７が付設されている。そして、送信アンテナ４８が筐体４１の外部に設けられている。
【００３０】
次に、図３により、上記トランスミッタ３０及び送信機４０の回路構成の概略を説明する。
【００３１】
上記トランスミッタ３０には、ロックボタン３１及びアンロックボタン３２に加えて、マイクロコンピュータ３３と、ＩＤコードを記憶させたＥＥＰＲＯＭ３４と、送信部３５とが設けられている。そして、マイクロコンピュータ３３にＥＥＰＲＯＭ３４が接続されていると共に、上記ロックボタン３１からのＯＮ−ＯＦＦ信号と、アンロックボタン３２からのＯＮ−ＯＦＦ信号とがそれぞれマイクロコンピュータ３３に入力されるようになっている。
【００３２】
また、上記送信部３５は、マイクロコンピュータ３３から出力されるディジタル信号を高周波信号で変調する変調回路３６と、該変調回路３６の出力を増幅する高周波増幅回路３７とを有し、該増幅回路３７で増幅された高周波信号がアンテナ３８から送信されるようになっている。
【００３３】
その場合に、上記マイクロコンピュータ３３は次のように作動する。
【００３４】
つまり、マイクロコンピュータ３３は、例えばアンロックボタン３２がＯＮされると、内蔵したＲＯＭからアンロック指令に相当する機能コードを呼び出すと共に、ＥＥＰＲＯＭ３４からＩＤコードを呼び出す。そして、図４に示すように、先頭のスタートパルス６１に続く第１データエリア６２と、第２データエリア６３に続く第３データエリア６４とにそれぞれＩＤコードをセットすると共に、上記第２データエリア６３と第４データエリア６５とにそれぞれアンロック指令に相当する機能コードをセットした上で、エンドパルス６６を付加して送信出力１を生成し、該送信出力１を上記送信部３５の変調回路３６に出力する。したがって、上記送信出力１に従って変調された高周波信号が高周波増幅回路３７を経てアンテナ３８から送信されることになる。
【００３５】
一方、上記送信機４０に設けられた回路基板４６には、図３に示すように、マイクロコンピュータ４９と、受信部５０と、送信部５１とが設けられている。
【００３６】
このうち受信部５０は、受信アンテナ４７によって受信される高周波信号を増幅する高周波増幅回路５２と、該増幅回路５２の出力信号と局部発信回路５３から出力された中間周波数とを混合して増幅する中間周波増幅回路５４と、該増幅回路５４から出力された出力信号をディジタル信号に復調する復調回路５５とを有し、該復調回路５５の出力が上記マイクロコンピュータ４９に入力されるようになっている。
【００３７】
また、上記送信部５１は、マイクロコンピュータ４９から出力されるディジタル信号を高周波信号で変調する変調回路５６と、該変調回路５６の出力を増幅する高周波増幅回路５７とを有し、該増幅回路５７で増幅された高周波信号が送信アンテナ４８から送信されるようになっている。
【００３８】
その場合に、上記マイクロコンピュータ４９は次のように作動する。
【００３９】
すなわち、マイクロコンピュータ４９は、受信アンテナ４７の受信電波から復調されたトランスミッタ３０からの送信出力１を入力すると、該送信出力１に含まれるＩＤコードを一旦記憶した上で、内蔵したＲＯＭ５８に記憶させた受信機１のＥＥＰＲＯＭ３の起動コードを呼び出す。そして、図５に示すように、先頭のスタートパルス７１に続く第１データエリア７２に起動コードをセットした上で、空白部７３に続く第２データエリア７４に上記ＩＤコードをセットする。そして、第２データエリア７４に続いて空白部７５を介して第３データエリア７６を形成して、この第３データエリア７６に再度起動コードをセットすると共に、空白部７７に続く第４データエリア７８に再びＩＤコードをセットした上で、エンドパルス７９を付加して送信出力２を生成し、該送信出力２を上記送信部５１の変調回路５６に出力する。したがって、上記送信出力２に従って変調された高周波信号が高周波増幅回路５７を経て送信アンテナ４８から送信されることになる。
【００４０】
また、上記送信機４０には、リミットスイッチ４３のＯＮ−ＯＦＦ信号が入力される増幅回路５９が設けられていると共に、該増幅回路５９の出力側にアクチュエータ４５が接続されている。
【００４１】
したがって、トランスミッタ３０を送信機４０の筐体４１の開口部４２から挿入して、図２の鎖線で示すようにリミットスイッチ４３に当接する位置まで差し込んだときには、アクチュエータ４５のプランジャ４４が鎖線で示すように前方へ突出し、これによってアンロックボタン３２のＯＮ操作が自動的に行われることになる。その場合に、プランジャ４４は所定時間突出した後、自動的に後退するようになっている。
【００４２】
送信機４０からの送信出力２を受信した受信機側のマイクロコンピュータ２は、該送信出力２に含まれるＩＤコードをＥＥＰＲＯＭ３に書き込むのであるが、この実施例においてはＩＤコードの書込動作が図６のフローチャートに示すように次のように行われる。
【００４３】
すなわち、マイクロコンピュータ２は、ステップＳ１で受信信号がフレーム構成に起動コードが含まれる送信出力２であるか否かを判定して、送信出力２であると判定したときにはステップＳ２に進んでＥＥＰＲＯＭ３のビットの値が全て“０”か否かを判定する。すなわち、ＥＥＰＲＯＭ３が何も書き込まれていないフレッシュな状態かどうかを判定するのである。この判定は、例えばサムチェックによって行われる。
【００４４】
マイクロコンピュータ２は、上記ステップＳ２においてＥＥＰＲＯＭ３の各ビットの値が全て“０”であると判定したときには、上記起動コードに従ってＥＥＰＲＯＭ３をリフレッシュした上で、該ＥＥＰＲＯＭ３に上記送信出力２から取り出したＩＤコードを書き込む（ステップＳ３）。したがって、受信機１のＥＥＰＲＯＭ３にはトランスミッタ３０のＥＥＰＲＯＭ３４に記憶されているＩＤコードと同一のＩＤコードが登録されることになる。
【００４５】
次に、本実施例の作用を図７のタイムチャートを参照して説明する。
【００４６】
すなわち、トランスミッタ３０を送信機４０の筐体４１の開口部４２から挿入して、図２の鎖線で示すようにリミットスイッチ４３に当接する位置まで差し込んだときには、該リミットスイッチ４３がＯＮしてアクチュエータ４５が作動し、それに伴ってトランスミッタ３０から送出される送信出力１（符号ア参照）が送信機４０のマイクロコンピュータ４９に入力される。そして、上記送信出力１に含まれるＩＤコードを含む送信出力２が、符号イで示すように上記マイクロコンピュータ４９から出力されることになる。この送信出力２が高周波信号で変調された上で送信アンテナ４８から送信されると共に、受信機１で受信された後再び送信出力２に復調された上で、受信機側のマイクロコンピュータ２に入力されることになる。その場合に、受信機側のＥＥＰＲＯＭ３の各ビットの値が全て“０”であるときのみ、つまり初回時のみ該ＥＥＰＲＯＭ３に送信出力２に含まれるＩＤコードが上記起動コードに従って書き込まれることになる。
【００４７】
なお、この実施例においては、送信機４０にトランスミッタ３０を装着したときに自動的にアンロックボタン３２がＯＮ操作されるようになっているが、手動でボタン操作を行うようにしても良い。
【００４８】
【発明の効果】
以上のように、第１発明に係る送信機の構成によれば、受信機側を書込モードに設定する起動コードがトランスミッタの固有コードと共に送信されるようになっているので、車室内に入り込むことなくトランスミッタに対応した固有コードを簡単に登録することが可能となる。
【００４９】
そして、第１発明に係る送信機の構成によれば、送信機とトランスミッタとの接続動作により、起動コードが固有コードと共に送信されるようになっているので、操作性が向上することになる。
【００５２】
さらに、第２、第３発明に係る固有コード登録装置の構成によれば、受信機側を書込モードに設定する起動コードがトランスミッタの固有コードと共に送信機から送信されるようになっているので、車室内に入り込むことなくトランスミッタに対応した固有コードを簡単に登録することが可能となる。また、受信機は、送信機側から送信される起動コードと固有コードとを受信すると、固有コード記憶手段を書込モードに切り換えて上記固有コードを登録するようになっているので、リセットスイッチを操作することなく固有コードを登録することが可能となって、受信機に固有コードを登録する際の作業性が向上することになる。
【００５３】
そして、第２発明に係る固有コード登録装置の構成によれば、送信機とトランスミッタとの接続動作により、起動コードが固有コードと共に送信されるようになっているので、上記第１発明と同様に操作性が向上することになる。
【００５４】
また、第３発明に係る固有コード登録装置の構成によれば、初回時のみ起動コードに従って固有コードを登録するようになっているので、２回目からはリセットスイッチを使用しなければ固有コードを登録することができず、保安性が向上することになる。
【図面の簡単な説明】
【図１】受信機のブロック回路図である。
【図２】トランスミッタ及び送信機の概略構成を示す側面図である。
【図３】トランスミッタ及び送信機のブロック回路図である。
【図４】トランスミッタから出力される送信出力のフレーム構成を示す模式図である。
【図５】送信機から出力される送信出力のフレーム構成を示す模式図である。
【図６】受信機側のマイクロコンピュータの作動を示すフローチャート図である。
【図７】実施例の作用を示すタイムチャート図である。
【符号の説明】
１      受信機
２      マイクロコンピュータ
３      ＥＥＰＲＯＭ
３０    トランスミッタ
３４    ＥＥＰＲＯＭ
４０    送信機
４３    リミットスイッチ
４５    アクチュエータ
４７    受信アンテナ
４９    マイクロコンピュータ
５８    ＲＯＭ
５０    受信部
５１    送信部
【図１】
0003546470.tif 000002
【図２】
0003546470.tif 000003
【図３】
0003546470.tif 000004
【図４】
0003546470.tif 000005
【図５】
0003546470.tif 000006
【図６】
0003546470.tif 000007
【図７】
0003546470.tif 000008